(57)【要約】【課題】ロール型ラップフィルムの収納が容易で、フィルムの巻き戻りがなく使用時に、必要量のフィルムを簡単に切分けできるラップフィルム類の収納ケースを提供する。【解決手段】中空円筒状のケース本体１と、ケース本体の両端に装着されたキャップ２ａ，２ｂと、ケース本体に開閉可能に取り付けられた掩蔽片３とからなり、前記キャップのうち少なくとも一方が、ケース本体に着脱可能に装着され、前記ケース本体には、掩蔽片の下側に細長いシート取出し口を開設し、前記取出し口に沿ってシート切取り台７を取り付けるとともに、該切取り台に凹部８を設け、前記掩蔽片は、切取り台の外面を覆うＬ字型に形成され、フィルムカッター１１が取り付けられている。【選択図】　　　図１
0003097658.tif 000002
【実用新案登録請求の範囲】
【請求項１】
本体の周面長手方向に細長いフィルム取出し口を備える中空円筒状ケース本体と、その両端に装着されたキャップであり、前記両端のキャップのうち少なくとも一方がケース本体に着脱可能に装着されたキャップと、前記取出し口の口縁部の外側に取出し口に沿って設けたフィルム保留部を備えるフイルム切取り台と、前記取出し口を開閉可能にした掩蔽片であり、切取り台の外側に覆い重なるように取り付けた掩蔽片とからなり、
前記切取り台には凹部を設け、前記掩蔽片には取出し口から引出されたフィルムを切断するカッターを取り付けてられていることを特徴とするラップフィルム類の収納ケース。
【請求項２】
少なくとも一方のキャップは、内側にスプリングを有して軸方向に伸縮可能なスプリングケースを設け、かつケース端にロール芯を回転可能に支持する円錐台状の芯支持部を取り付けていることを特徴とする請求項１に記載のラップフィルム類の収納ケース。
【請求項３】
少なくとも一方のキャップは、バネと歯車とからなる逆転防止歯車を内蔵し、かつ歯車ケース端にロール芯を支持する円錐台状のロール芯支持部を取り付けていることを特徴とする請求項１に記載のラップフィルム類の収納ケース。
【請求項４】
少なくとも一方のキャップは、内側に逆転防止ベアリングを有し、ベアリングケース端にロール芯を支持する円錐台状のロール芯支持部を取り付けていることを特徴とする請求項１に記載のラップフィルム類の収納ケース。
【請求項５】
周面長手方向に細長いフィルム取出し口を形成するように、蝶番によりヒンジ連結され、かつ断面が夫々略半円状の上部と底部とを備えている中空円筒状ケース本体と、
該ケース本体の両端に着脱可能に装着するキャップと、
前記取出し口の口縁部の外側に前記取出し口に沿って設けたフィルム保留部を備えるフイルム切取り台と、前記取出し口を開閉可能にした掩蔽片であり、切取り台の外側に覆い重なるように取り付けた掩蔽片とからなり、
前記切取り台には凹部を設け、前記掩蔽片には取出し口から引出されたフィルムを切断するカッターを取り付けてなることを特徴とするラップフィルム類の収納ケース。
【請求項６】
少なくとも一方のキャップは、内側にスプリングを有して軸方向に伸縮可能なスプリングケースを設け、かつケース端にロール芯を回転可能に支持する円錐台状の芯支持部を取り付けていることを特徴とする請求項５に記載のラップフィルム類の収納ケース。
【請求項７】
少なくとも一方のキャップは、バネと歯車とからなる逆転防止歯車を内蔵し、かつ歯車ケース端にロール芯を支持する円錐台状の芯支持部を取り付けていることを特徴とする請求項５に記載のラップフィルムの収納ケース。
【請求項８】
少なくとも一方のキャップは、内側に逆転防止ベアリングを有し、ベアリングケース端にロール芯を支持する円錐台状の芯支持部を取り付けていることを特徴とする請求項５に記載のラップフィルム類の収納ケース。
【請求項９】
前記中空円筒状ケース本体の端内面に内周ねじが、前記本体短部に着脱可能に装着するキャップの内側中央部に前記内周ねじと噛み合う雄ねじが形成された凸部と、該凸部の外側に押え溝部を設けた請求項５〜８の何れか１項に記載のラップフィルム類の収納ケース。
【考案の詳細な説明】
【０００１】
【考案の属する技術分野】
本考案は、主に台所で食品の保存等に使用するラップフィルム、アルミホイル、クッキングシートなどのロールフィルム類を収納するケースに関するものである。
【０００２】
【従来の技術】
食品包装用ラップフィルムやアルミホイル、クッキングシートなどのロールフィルムは、通常、紙箱に包装されて販売されている。紙箱はロールフィルムの保管収納ケースとして用いられ、巻芯に多層巻きしたロールフィルムを必要な長さずつ引出して切断するための金属製のカッター（鋸刃）が装着されているものが多い。
フィルムを使い切った後廃棄する場合、紙箱とカッターとを分離してから廃棄する必要があるが、分離して廃棄する作業は面倒で手間がかかるうえ、誤って指などを切る恐れもある。その上に、前記の分離処理を行なわず、またリサイクルされることなく、全部ごみとして廃棄されることが多かった。
【０００３】
このようにラップフィルム類の収納ケースは一度の使用のみでゴミとして廃棄されるため、家庭ゴミ等を増大させる問題がある。また、ケースは繰り返し使用するには耐久性がなく、カッター交換もできない。
近年、従来の紙製容器に代わり、カッター以外のケース構成部品を全てプラスチック製とし、カッター交換も容易に行える収納ケースが提案されている。（例えば、特許文献１参照。）。
【０００４】
【特許文献１】
特開２００３−８１２８０号公報（第１図）
【０００５】
【考案が解決しようとする課題】
使い捨ての紙箱の場合、使い勝手のよさを犠牲にし、安価にできることに重点が置かれていたが、繰り返し使用できる収納ケースにおいては、その使い勝手のよさが問題となる。
【０００６】
上記の特許文献１のケースは、ロールを収容する容器本体とフタとをプラスチックで一体成形したもので、上面を開口して上から新しいロールを挿入し、ロールを支持するボス部を外側に押し広げて、ロールをケースにセッティングするものであった。
【０００７】
上記のケースでは、フィルムの切断後、ロールの巻き戻りにより、フィルム端部がケース内に引き戻されて取出し難いという問題があった。とりわけラップフィルムの場合には、フィルム端部がロール面に貼り付いてしまい、次の使用時に取出しが困難になって、操作性が著しく損なわれるといった課題があった。
【０００８】
本考案は、上記問題点を解決するためになされたもので、繰り返し使用可能なであり、ロールフィルムをケースの側蓋を開けて収納するもので、フィルムの巻き戻りを防止し、使用時に必要量のフィルムを簡単に切分けできるロール収納ケースを提供するものである。
【０００９】
【課題を解決するための手段】
上記目的を達成するために、本考案は、次のような構成の収納ケースを提案するものである。
本体の周面長手方向に細長いフィルム取出し口を備える中空円筒状ケース本体と、その両端に装着されたキャップであり、前記両端のキャップのうち少なくとも一方がケース本体に着脱可能に装着されたキャップと、前記取出し口の口縁部の外側に前記取出し口に沿って設けたフィルム保留部を備えるフイルム切取り台と、前記取出し口を開閉可能にした掩蔽片であり、切取り台の外側に覆い重なるように取り付けた掩蔽片とからなり、
前記切取り台には凹部を設け、前記掩蔽片には取出し口から引出されたフィルムを切断するカッターを取り付けてなることを特徴とする。
【００１０】
ここで、中空円筒状のケースは、周面長手方向に細長いフィルム取出し口を有するように、ヒンジ連結された略半円状断面の上部と底部とから構成されるものでもよい。
【００１１】
本考案において、少なくとも一方のキャップは、内側にスプリングを有して軸方向に伸縮可能なスプリングケースを設け、かつケース端にロール芯を回転可能に支持する円錐台状の芯支持部を取り付けることができる。
【００１２】
また、少なくとも一方のキャップは、バネと歯車とからなる逆転防止歯車を内蔵し、かつ歯車ケース端にロール芯を支持する円錐台状の芯支持部を取り付けることができる。
【００１３】
さらにまた、少なくとも一方のキャップは、内側に逆転防止ベアリングを有し、ベアリングケース端にロール芯を支持する円錐台状の芯支持部を取り付けることができる。
【００１４】
なお、ケース本体の両端に装着するキャップは、所謂バヨネット方式でケース端部に取り付けることができるタイプのものでも、ねじ方式でケース端部に取り付けることができるタイプのものでもよい。
【００１５】
【考案の実施の形態】
以下、本考案の実施形態について図面を基に詳細に説明する。
図１において、１は食品包装用ラップフィルム、アルミホイル、クッキングシートなどの巻回フィルムを収納する収納ケース本体であり、中空円筒状に形成されている。また、２ａ、２ｂはケース本体１の両端に装着された略円形のキャップであって、２ａはケース本体１に固定される固定キャップ、２ｂはケース本体１に対し着脱可能な取外し式キャップである。３はケース本体１に設ける後記のフィルムの取出し口６を開閉可能する掩蔽片である。
【００１６】
ケース本体１およびキャップ２ａ、２ｂは薄金属板またはプラスチック材料を使用して製作可能である。なお本実施形態では、金属薄板が使用されている。
図３に示すように、ケース本体１の少なくとも一方の端部に一対のＬ字形状をしたセット溝４が設けられ、キャップ２ｂの側面にはそのセット溝に挿入して噛み合う一対の突起５が形成されている。突起５をセット溝４に挿入し、セット溝４の終点に嵌合させることで、キャップ２ｂは使用中不用意に外れることなく、ケース本体１に取り付けられる。また、これを取り外すときには突起５をセット溝４に沿って引き抜くことで、容易にケース本体１からキャップ２ｂを取り外すことができる。このようにキャップは、ケース端部に所謂バヨネット方式で取り付けることができる。
【００１７】
ケース本体１の周面長手方向には、フィルム取出し口６として機能する細長い開口が開設されている。また取出し口６の口縁部の外側に、一例として図４に示すフィルム保留部９を備える直角三角形状の断面を有したフィルム切取り台７が設置されている。切取り台７の中央に三日月形の凹部８が設けられている。この凹部は、フィルムを切取り台面から浮き上がらせる作用を奏し、フィルムを取り出すときにフィルムをつかみやすいようにしている。フィルム取出し口６の反対側には滑り止め２４が設けられている。
フィルム保留部９は、ラップフィルムが貼り付きやすい粘着材または樹脂でできたシートを切り取り台７に貼着して構成している。したがって、フィルム切断後にフィルムの切断端部が切取り台７のシートに貼り付き、フィルムロールが巻き戻るのを防ぐことができる。
【００１８】
図に示すように、掩蔽片３は、切取り台７に覆い重なるように設け、蝶番１０によりケース本体１のフィルム取出し口６の外側に開閉可能に取り付けられている。また、該掩蔽片３は、先端にカッターのセット溝が形成され、そのセット溝にフィルムを切り取るためのカッター１１を挟み込んでいる。なお、カッターとしては金属製の鋸刃を使用し、鋸刃の切れ味が悪くなった場合には新しいカッターに差し替え、交換することができる。
【００１９】
次に、本考案のケースに食品包装用ラップフィルムやアルミホイル、クッキングシートなどのロールフィルムを収納する方法を説明する。
まず、収納ケース本体１からキャップ２ｂを外し、横側面からフィルムロールＦＲをケース本体１内に収納し、フィルム端部を取出し口６から引出して、端部を切取り台７の上に被せ、キャップ２ｂを嵌める。使用しないときは、汚れ、異物の侵入を防ぐために掩蔽片３を閉めておく。
【００２０】
使用に際しては、図２に示すように、掩蔽片３を開く。切取り台７の凹部８を利用してフィルムを摘み上げ、必要長さのフィルムを引出した後、掩蔽片３を上から押さえながらもう一方の手でフィルム端部を持って所定の長さで切り取る。掩蔽片３を押さえることでフィルムは切取り台７に圧着されて、切取り台７の保留部９に貼り付き、切取り後にフィルムロールＦＲが巻き戻るのを防ぐ。
またフィルムロールＦＲは、ケース本体１にガードされ、フィルム端部を引出すときや、使用中に不用意にケースから飛び出す恐れがなく、さらにフィルム端部を取り出すのに手間を取られることがなくなり、作業効率が改善され、忙しい厨房での作業に対する要望に応ずることができる。
また、ロールに貼りついたフィルム端部を探してはがすのは、障害を持った人やお年寄りにとって、特に大変な作業であるが、フィルム端部をフィルム保留部９に貼りつけ、常につかみやすい位置にキープすることで、細かい作業が難しい人にも簡単に使用できるようになる。
さらに、台所や厨房などでは、使用中に水や油などが飛散しやすいが、水や油に対する耐性を有する金属またはプラスチック製の本考案の収納ケースは、水や油からケース内のフィルムロールを保護し、ケース本体は繰り返しの使用に十分耐えられる。
【００２１】
図５、６は、取外し式キャップの第２の形態を示している。このキャップはコイルスプリング１３を内蔵したスプリングケース１４がキャップ本体の軸方向に伸縮可能に取り付けられ、ケースの先端には円錐台状の芯支持部１５を設けている。円錐台状の芯支持部１５は、フィルムロールのコアの太さの違いに関係なく適合させることができ、緩みやガタつくことなくフィルムロールを収納ケース内で回転可能に支持することができる。
【００２２】
図７は、キャップの別の実施形態を示している。このキャップ１６は、ラチェット式の逆転防止歯車１７を内蔵し、歯車ケース先端に円錐台状の芯支持部１５を取り付けている。この逆転防止歯車１７はバネ１８の作用により、一方向にしか回転できないようになっており、フィルム取り出し方向には回転できるが逆方向の回転を止める。これによりフィルム切断後の逆回転を確実に防ぎ、フィルム端部の巻き戻りをなくすものである。本実施形態では固定キャップとしているが、取り外し式キャップに適用することもできる。
【００２３】
図８は、さらに別のキャップの実施形態を示している。固定キャップ２０に、ワンウェイクラッチ機構を有した逆転防止ベアリング２１を内蔵し、ベアリングケース端には円錐台状の芯支持部１５を取り付けている。芯支持部１５は、一方向のみにしか回転しないから、フィルムロールが逆回転するのを抑えられため、フィルム端部の巻き戻りを防ぐことができる。本実施形態は固定キャップに逆転防止ベアリングを内蔵させているが、取り外し式キャップに適用することもできる。
また、第３、４の実施形態の逆転防止歯車あるいは、逆転防止ベアリングを内蔵したキャップには、第２の実施形態のようにスプリングを内蔵させても良い。
【００２４】
図９及び図１０は、収納ケース本体の別の形態を示している。
ケース本体２２は、夫々半円形断面を有する上部２２ａと底部２２ｂとがすべりとめ兼用蝶番２３により開閉可能に連結された構造になっていて、夫々の一端に、フィルム保留部を備えるフイルム切取り台７、または取出し口を開閉可能にした掩蔽片３が設けられている。
この実施形態の場合、蝶番２３を介してケース本体を２つ割して開くことで、ケース本体内にフィルムロールを挿入し、取出し口６にフィルム端部を引出して、切取り台７に被せる。フィルムロールをセットした後、ケース本体２２の両端にキャップを嵌合させる。キャップとしては第１の実施形態の円形キャップ２ｂ、あるいは巻芯をより確実に支持する第２の実施形態のスプリングを内蔵したキャップ１２を使用することもできる。また、第３、第４の実施形態の逆転防止歯車あるいは逆転防止ベアリングを内蔵したキャップ１６、２０と、スプリングを内蔵したキャップ１２とを組み合わせて使用するのも良い。
【００２５】
また、図１１（ａ）〜（Ｃ）は前記中空円筒状ケース本体２２の端内面に、ピッチの荒い内周ねじ２５が、前記本体に着脱可能に装着するキャップ２６の内側中央部に前記内周ねじと噛み合う雄ねじ２７が形成された凸部２８と、該凸部の外側に押さえ溝部２９を設けた例である。このようにキャップは、ねじ方式でケース端部に取り付けることができるタイプのものでもよい。
なお、ケース本体とキャップは素材としてプラスチックを使用することもできる。なお、プラスチックで作る場合、蝶番を本体と一体成形で作ることが可能である。
【００２６】
【考案の効果】
以上本考案のラップフィルムの収納ケースは、何度も繰り返し使用可能なケースであり、経済的で、ゴミ減量および木材資源の保護など環境問題の改善につながり、社会的に貢献するものである。
また、フィルムロールをケース側面から挿入するので、セッティングが容易である。さらにフィルム端部を常につかみやすい状態にしておくことで、使い勝手がよく、生活弱者へ配慮したものでもある。本考案のケースを使用すれば、食品包装作業効率を向上させることができる。
【図面の簡単な説明】
【図１】本考案フィルム類の収納ケースの一実施形態を示した斜視図。
【図２】同上実施形態の使用状態の縦断面図。
【図３】同上実施形態の取外し式キャップをケース本体から外した状態の斜視図。
【図４】同上実施形態の切取り台の斜視図。
【図５】取外し式キャップの第２の実施形態を示す斜視図。
【図６】同上実施形態の取外し式キャップの縦断面図。
【図７】キャップの第３の実施形態を示す縦断面図。
【図８】キャップの第４の実施形態を示す縦断面図。
【図９】別の実施形態を示すケース本体の斜視図。
【図１０】同上実施形態の使用状態の縦断面図。
【図１１】（ａ）〜（Ｃ）はねじ方式でキャップをケース端部に取り付ける例の説明図である。
【符号の説明】
１、２２　収納ケース本体
２ａ　固定キャップ
２ｂ、１２　取外し式キャップ
３　掩蔽片
４　セット溝
５　突起
６　取出し口
７　切取り台
８　凹部
９　フィルム保留部
１０　蝶番
１１　カッター
１３　コイルスプリング
１４　スプリングケース
１５　芯支持部
１６、２０　キャップ
１７　逆転防止歯車
１８　板バネ
１９　歯車
２１　逆転防止ベアリング
２２ａ　ケース上部
２２ｂ　ケース底部
２３　蝶番
２４　滑り止め
２６　ねじキャップ
【図１】
0003097658.tif 000003
【図２】
0003097658.tif 000004
【図３】
0003097658.tif 000005
【図４】
0003097658.tif 000006
【図５】
0003097658.tif 000007
【図６】
0003097658.tif 000008
【図７】
0003097658.tif 000009
【図８】
0003097658.tif 000010
【図９】
0003097658.tif 000011
【図１０】
0003097658.tif 000012
【図１１】
0003097658.tif 000013